(57)【要約】【課題】使用者が先にシャットダウンする必要なくバッテリの交換作業を行うことができる装置と方法の提供。【解決手段】本発明のシャットダウン状態でなくともバッテリを交換できる情報処理装置及びシャットダウン状態でないときにバッテリを交換する方法は、前記情報処理装置が、電源供給部、電源供給部に設置されたメインバッテリ、メインバッテリが電源を供給していないときに電源を供給するバックアップバッテリ、スタンバイコマンドまたは復帰コマンドを接受する接受モジュール、スタンバイコマンドに基づき情報処理装置をスタンバイモードにして使用者がメインバッテリを交換できるようにするスタンバイモジュール、メインバッテリの電源が充分と判断したとき、情報処理装置に使用モードを回復させる復帰モジュールを含み、これにより使用者はシャットダウンしていない状況下で電源が尽きたメインバッテリを交換し、シャットダウンと起動のプロセスと時間を節約することができる。【選択図】図１
2013037667.tif 000002
【特許請求の範囲】
【請求項１】
シャットダウン状態でなくともバッテリを交換できる情報処理装置であって、
電源供給部と、
前記電源供給部に装着され、前記電源供給部を介して前記情報処理装置に電源を供給するために用いるメインバッテリと、
前記メインバッテリが前記情報処理装置に電源を供給しないとき、前記情報処理装置に電源を供給するために用いるバックアップバッテリと、
使用者が入力するスタンバイコマンドまたは復帰コマンドを接受するために用いる接受モジュールと、
前記接受モジュールが接受した前記スタンバイコマンドに基づき前記情報処理装置をスタンバイモードにして、前記情報処理装置が前記スタンバイモードにあるとき使用者が前記電源供給部に装着された前記メインバッテリを交換できるようにするために用いるスタンバイモジュールと、
前記情報処理装置が前記スタンバイモードにあるとき、前記電源供給部に装着された前記メインバッテリが充分な電源を有するか否かを判断し、前記電源供給部の前記メインバッテリが充分な電源を有すると判断したとき、前記情報処理装置に使用モードを回復させるために用いる復帰モジュールと、
を含むことを特徴とする、シャットダウン状態でなくともバッテリを交換できる情報処理装置。
【請求項２】
前記バックアップバッテリが、外部電源または前記メインバッテリの電源を介して充電を行うことを特徴とする、請求項１に記載のシャットダウン状態でなくともバッテリを交換できる情報処理装置。
【請求項３】
前記バックアップバッテリが、前記情報処理装置内に固定して内蔵されることを特徴とする、請求項１に記載のシャットダウン状態でなくともバッテリを交換できる情報処理装置。
【請求項４】
前記情報処理装置が電源キーを備え、前記接受モジュールが前記電源キーにより直接入力される前記スタンバイコマンドまたは前記復帰コマンドを接受するか、あるいは前記電源キーにより起動される予め設定されたユーザインターフェイスにより入力される前記スタンバイコマンドまたは前記復帰コマンドを接受することを特徴とする、請求項１に記載のシャットダウン状態でなくともバッテリを交換できる情報処理装置。
【請求項５】
前記復帰モジュールが、前記電源供給部の前記メインバッテリが充分な電源を有すると判断すると、前記接受モジュールが接受した前記復帰コマンドに基づいて前記情報処理装置に前記使用モードを回復させ、または前記復帰モジュールが前記電源供給部の前記メインバッテリが充分な電源を有すると判断し、かつ特定の時間が経過した後、直接前記情報処理装置に前記使用モードを回復させることを特徴とする、請求項１に記載のシャットダウン状態でなくともバッテリを交換できる情報処理装置。
【請求項６】
シャットダウン状態でないときにバッテリを交換する方法であって、シャットダウン状態でなくともバッテリを交換できる情報処理装置に応用され、前記情報処理装置が、メインバッテリ及びバックアップバッテリを含み、且つ正常な消費電力の使用モードと低消費電力のスタンバイモードを備え、前記方法が、
（１）前記情報処理装置を前記スタンバイモードにして、前記メインバッテリが取り外されたとき、前記バックアップバッテリにより前記情報処理装置に電源を供給させる工程と、
（２）前記情報処理装置に前記メインバッテリがすでに装着されたか否かを判断し、かつ前記メインバッテリの電源が充分であるか否かを判断する工程と、
（３）前記メインバッテリが装着され、且つ電源が充分であるとき、前記情報処理装置に前記使用モードを回復させ、前記メインバッテリにより前記情報処理装置に電源を供給させる工程と、
を含むことを特徴とする、シャットダウン状態でないときにバッテリを交換する方法。
【請求項７】
工程（１）において、前記情報処理装置が前記スタンバイモードにあるとき、前記メインバッテリの電源が尽きた場合に前記バックアップバッテリにより前記情報処理装置に電源を供給させることを特徴とする、請求項６に記載のシャットダウン状態でないときにバッテリを交換する方法。
【請求項８】
工程（１）において、前記メインバッテリが取り外されたときという条件を、前記メインバッテリの電源が尽きた場合という条件で置き換えたことを特徴とする、請求項６に記載のシャットダウン状態でないときにバッテリを交換する方法。
【請求項９】
工程（１）と工程（２）の間に、さらに、前記情報処理装置にＵＳＢ装置が接続された、外部電源が接続された、または電源キーが押された状況があったとき、前記バックアップバッテリにより前記情報処理装置に電源を供給させる工程を含むことを特徴とする、請求項６に記載のシャットダウン状態でないときにバッテリを交換する方法。
【請求項１０】
工程（２）において、メインバッテリの電源が不足すると判断したとき、前記バックアップバッテリにより前記情報処理装置に電源を供給させることを特徴とする、請求項６に記載のシャットダウン状態でないときにバッテリを交換する方法。
【請求項１１】
工程（２）において、メインバッテリの電源が不足すると判断したとき、ＵＳＢ装置が接続された、外部電源が接続された、または電源キーが押された状況があった場合、前記バックアップバッテリにより前記情報処理装置に電源を供給させることを特徴とする、請求項１０に記載のシャットダウン状態でないときにバッテリを交換する方法。
【請求項１２】
工程（３）において、前記メインバッテリが装着され、且つ前記電源が充分であるとき、さらに復帰モジュールに接受モジュールが復帰コマンドを接受したか否かを判断させ、前記復帰コマンドを接受したとき、前記情報処理装置に前記使用モードを回復させ、または前記復帰モジュールに特定の時間が経過したか否かを判断させ、前記特定の時間が経過したとき、前記情報処理装置に前記使用モードを回復させることを特徴とする、請求項６に記載のシャットダウン状態でないときにバッテリを交換する方法。
【発明の詳細な説明】
【技術分野】
【０００１】
本発明は情報処理装置に関し、特に、シャットダウンしていなくてもメインバッテリを交換できる、情報処理装置に関する。
【背景技術】
【０００２】
例えば携帯電話、ノートブックコンピュータ、またはタブレット型コンピュータなどの情報処理装置は、すでに日常生活において必要な日常用品となっており、多くの情報処理装置が出荷時に着脱可能なバッテリを装備している。
【０００３】
例を挙げると、携帯電話の背面にはバッテリスロットが設計されており、バッテリスロット内には導電接点が設計され、バッテリが正確な位置でバッテリスロット内に挿入されると、バッテリが導電接点を利用して貯蔵された電源を携帯電話に供給することができる。バッテリは着脱式であるため、バッテリに貯蔵された電源が尽き、携帯電話に充分な電源を供給して動作させることができなくなったら、使用者は電源が尽きたバッテリを取り外し、充分な電源を有する新しいバッテリに交換することができる。
【０００４】
しかしながら、現行の情報処理装置において、使用者は先に情報処理装置をシャットダウンしてからでないと、電源が尽きたバッテリの交換を行うことができず、且つ充分な電源を有する新しいバッテリに交換した後は、情報処理装置を再度起動する動作を行わなければ、情報処理装置を正常に動作させることができないが、シャットダウンと再起動の動作には長い時間と手間がかかるため、使用者にとって極めて不便である。
【発明の概要】
【発明が解決しようとする課題】
【０００５】
現有技術の数々の欠点に鑑み、本発明の主な目的の一つは、使用者が先にシャットダウンする必要なくバッテリの交換作業を行うことができる装置と方法を提供することにある。
【課題を解決するための手段】
【０００６】
上述の目的及びその他目的を達するため、本発明の提供するシャットダウン状態でなくともバッテリを交換できる情報処理装置は、電源供給部と、前記電源供給部に装着され、前記電源供給部を介して前記情報処理装置に電源を供給するために用いるメインバッテリと、前記メインバッテリが前記電源を前記情報処理装置に供給していないとき、前記電源を前記情報処理装置に供給するために用いるバックアップバッテリと、使用者が入力するスタンバイコマンドまたは復帰コマンドを接受するために用いる接受モジュールと、前記接受モジュールが接受した前記スタンバイコマンドに基づき前記情報処理装置をスタンバイモードにさせ、前記情報処理装置が前記スタンバイモードにあるとき使用者が前記電源供給部に装着された前記メインバッテリを交換できるようにするために用いるスタンバイモジュールと、前記情報処理装置が前記スタンバイモードにあるとき、前記電源供給部に装着された前記メインバッテリが充分な電源を備えているか否かを判断し、前記電源供給部の前記メインバッテリが充分な電源を備えていると判断したとき、前記情報処理装置に使用モードを回復させるために用いる復帰モジュールを含む。
【０００７】
このほか、本発明がさらに提供するシャットダウン状態でないときにバッテリを交換する方法は、低消費電力のスタンバイモードまたは正常な消費電力の使用モードを備えた情報処理装置に応用され、且つ前記情報処理装置がメインバッテリとバックアップバッテリを含み、前記方法が、前記情報処理装置を前記スタンバイモードにして、前記メインバッテリの電源が尽きたとき、または前記メインバッテリが取り外されたとき、バックアップバッテリにより前記情報処理装置に電源を供給する工程と、前記情報処理装置に前記メインバッテリがすでに装着されたか否かを判断し、かつ前記メインバッテリの電源が充分であるか否かを判断する工程と、前記メインバッテリが装着されており、且つ前記電源が充分であるとき、前記情報処理装置に前記使用モードを回復させ、かつ前記メインバッテリにより前記情報処理装置に電源を供給する工程を含む。
【発明の効果】
【０００８】
現有技術と比較すると、本発明の情報処理装置はメインバッテリ及び電源供給部を備えているほか、メインバッテリが電源を供給できないときに電源を供給できるバックアップバッテリを備え、且つさらに連携して動作することができる接受モジュール、スタンバイモジュール、復帰モジュールが設置されているため、使用者がシャットダウンしていない状況下でも電源が尽きたメインバッテリを交換する作業を行うことができる。
【図面の簡単な説明】
【０００９】
【図１】本発明のシャットダウン状態でなくともバッテリを交換できる情報処理装置のシステム構造図である。
【図２】本発明のスタンバイモードから使用モードに復帰するまでのフローチャートである。
【発明を実施するための形態】
【００１０】
以下、特定の具体的な実施形態に基づいて本発明の実施方式を詳細に説明する。当業者であれば本明細書に開示された内容から本発明のその他利点と効果を容易に理解することができるであろう。当然、本発明はその他異なる具体的な実施形態で実施または応用することが可能である。
【００１１】
図１に本発明のシャットダウン状態でなくともバッテリを交換できる情報処理装置のシステム構造図を示す。図に示すように、本発明の情報処理装置１は、電源供給部１１、メインバッテリ１２、バックアップバッテリ１３、及びソフトウェアの実装を組み合わせて構成できる接受モジュール１４、スタンバイモジュール１５、復帰モジュール１６を含む。情報処理装置１は、例えば携帯電話、ノートブックコンピュータ、またはタブレット型コンピュータ等とすることができ、且つ低消費電力のスタンバイモードまたは正常な消費電力の使用モードの状態を備えている。
【００１２】
前記電源供給部１１は情報処理装置１背面にあるスロットとすることができ、且つ内部に電源を受け取り情報処理装置１に供給して動作を行わせることができる金属接点を備えている。
【００１３】
前記メインバッテリ１２は着脱自在に電源供給部１１内に装着され、選択的に電源供給部１１の金属接点を介して電源を情報処理装置１に供給し、情報処理装置１に動作を行わせることができる。一実施例において、メインバッテリ１２と電源供給部１１の間には可動的な嵌合構造を設け、これによりメインバッテリ１２を着脱自在に電源供給部１１内に装着することができる。
【００１４】
前記バックアップバッテリ１３は、メインバッテリ１２が電源を情報処理装置１に供給していないとき電源を情報処理装置１に供給するために用いられる。例えば、バックアップバッテリ１３はメインバッテリ１２の電源が尽きたとき、またはメインバッテリ１２が電源供給部１１内から取り外されたとき、自動的にバックアップバッテリ１３に貯蔵された電源を情報処理装置１に供給する。一実施例において、バックアップバッテリ１３は出荷時に情報処理装置１内に固定して内蔵することができ、且つ例えばコンセントからの外部電源、またはメインバッテリ１２の電源から充電を行うことができる。
【００１５】
前記接受モジュール１４は使用者が入力するスタンバイコマンドまたは復帰コマンドを接受するために用いられる。例えば、情報処理装置１は電源キーを備え、接受モジュール１４は電源キーを通して使用者が入力するスタンバイコマンドまたは復帰コマンドを接受することができる。このほか、接受モジュール１４は関連のユーザインターフェイスを予め設けてもよく、かつ電源キーと予め設けた前記電源キーにより起動されるユーザインターフェイスを通して使用者が入力するスタンバイコマンドまたは復帰コマンドを接受することができる。一実施例において、使用者が電源キーを押すと、ユーザインターフェイスが表示され、ユーザインターフェイス中に使用者が選択できる多種類のオプションリストが含まれるようにしてもよい。例えば、オプションリストは使用モードオプション、呼び出しモードオプション、シャットダウンオプション、スタンバイオプション、復帰オプションを含むことができる。このほか、電源キーまたはその他キーを組み合わせ、コンビネーションキーの形式でスタンバイコマンドまたは復帰コマンドを接受するようにしてもよい。
【００１６】
前記スタンバイモジュール１５は、接受モジュール１４が接受したスタンバイコマンドに基づいて、情報処理装置１を低消費電力のスタンバイモードにさせ、情報処理装置１が低消費電力のスタンバイモードにあるとき使用者が電源供給部１１に装着されたメインバッテリ１２を交換できるようにするために用いられる。接受モジュール１４がユーザインターフェイスを介してスタンバイコマンドを接受する実施例においては、使用者がユーザインターフェイス中でスタンバイオプションを選択すると、スタンバイコマンドが入力され、このときスタンバイモジュール１５が情報処理装置１を低消費電力のスタンバイモードにさせる。
【００１７】
前記復帰モジュール１６は、情報処理装置１が低消費電力のスタンバイモードにあるとき、電源供給部１１に装着されたメインバッテリ１２が充分な電源を有するか否かを判断し、電源供給部１１のメインバッテリ１２が確かに充分な電源を有すると判断したとき、接受モジュール１４が接受した復帰コマンドに基づいて、情報処理装置１に正常な消費電力の使用モードを回復させるために用いられる。接受モジュール１４がユーザインターフェイスを介して復帰コマンドを接受する実施例においては、使用者がユーザインターフェイスの中で復帰オプションを選択すると、復帰コマンドが入力され、復帰モジュール１６が電源が充分であると判断したとき情報処理装置１に正常な消費電力の使用モードを回復させることができる。
【００１８】
別の一実施例において、復帰モジュール１６は電源供給部１１のメインバッテリ１２が確かに充分な電源を有すると判断し、且つ特定の時間が経過すると、直接情報処理装置１に正常な消費電力の使用モードを回復させることもできる。
【００１９】
例えば、使用者がメインバッテリ１２の電源が尽きそう、またはすでに尽きたことに気付き、新しいメインバッテリ１２に交換したいとき、まず接受モジュール１４を介してスタンバイコマンドを入力し、スタンバイモジュール１５により情報処理装置１を低消費電力のスタンバイモードにさせてから、使用者がメインバッテリ１２の交換を行うことができ、即ち、低消費電力のスタンバイモードにあるとき、使用者は電源供給部１１内の電源が尽きそう、またはすでに尽きたメインバッテリ１２を取り外すことができる。
【００２０】
続いて、電源供給部１１内の電源が尽きそう、またはすでに尽きたメインバッテリ１２が取り外され、まだ新しいメインバッテリ１２が装着されていないとき、バックアップバッテリ１３が電源を情報処理装置１に供給することができ、これにより情報処理装置１は低消費電力のスタンバイモードを維持し、冗長なシャットダウン操作手順を省くと同時に、データがうっかり失われることを回避することができる。
【００２１】
新しいメインバッテリ１２がすでに正確に電源供給部１１内に装着されると、使用者は接受モジュール１４を介して復帰コマンドを入力することができ、同時に復帰モジュール１６が電源供給部１１に装着された新しいメインバッテリ１２が充分な電源を有するか否かを判断し、新しいメインバッテリ１２の電源が充分であると判断すると、復帰コマンドに基づいて情報処理装置１に正常な消費電力の使用モードを回復させ、これにより冗長な起動操作手順を省くことができる。
【００２２】
実際の実施時は、復帰モジュール１６がメインバッテリ１２の電源が充分であるか否かを判断する機能を備えており、且つ接受モジュール１４が確実に復帰コマンドを接受してからでないと、情報処理装置１に正常な消費電力の使用モードを回復させることはできないため、本発明はさらに、実際にはまだメインバッテリ１２の交換を完了していないのにメインバッテリ１２の交換を完了したと誤って判断してしまい、データ破壊または損失を生じるリスクを回避することができる。
【００２３】
図２に本発明のスタンバイモードから使用モードに復帰させる工程のフローチャートを示す。前述の内容と共に本発明の提供するシャットダウン状態でないときにバッテリを交換する方法を説明する。
【００２４】
工程Ｓ２１では、使用者がメインバッテリ１２を交換するため情報処理装置１を低消費電力のスタンバイモードにする。続いて工程Ｓ２２に進む。
【００２５】
特に注意が必要なのは、工程Ｓ２１において、使用者はメインバッテリの交換を行うことができるが、その主な内容は全文に詳細に説明済みであるため、ここでは説明を省略する。
【００２６】
工程Ｓ２２では、情報処理装置１がメインバッテリの接続されていない状態で、ＵＳＢ装置が接続されているか、外部電源が接続されているか、または電源キーが押されたか等の状況を判断する。そのうちいずれかの条件が成立すると、工程Ｓ２１に戻り、低消費電力のスタンバイモードを継続して維持する。工程Ｓ２２’では、メインバッテリがすでに情報処理装置に接続されている場合、工程Ｓ２３に進む。
【００２７】
工程Ｓ２３では、復帰モジュール１６が続いて電源供給部１１が接受した電源が充分であるか否かを判断し、即ちメインバッテリ１２の電源が充分であるか否かを判断する。電源がまだ不足していると判断すると、工程Ｓ２１に戻り、情報処理装置１に低消費電力のスタンバイモードを維持させる。電源が充分であると判断すると、工程Ｓ２２’と工程Ｓ２３に基づいて新しいメインバッテリ１２が正確に装着され、且つ充分な電源を備えていると判断し、工程Ｓ２４に進む。
【００２８】
特に説明すべきは、工程Ｓ２２と工程Ｓ２３は同時進行しても、しなくてもよい点であり、説明を簡単にするため、工程Ｓ２２と工程Ｓ２３の同時進行の態様は図示していない。
【００２９】
工程Ｓ２４では、接受モジュール１４が復帰コマンドを接受したか、または特定の時間が経過したかを復帰モジュール１６が判断する。接受モジュールがすでに復帰コマンドを接受した、または特定の時間が経過したと判断した場合、工程Ｓ２５に進む。接受モジュールが復帰コマンドをまだ接受しておらず、且つ特定の時間が経過していないと判断した場合、工程Ｓ２１に戻る。
【００３０】
工程Ｓ２５では、情報処理装置１に正常な消費電力の使用モードを回復させる。
【００３１】
上述をまとめると、本発明の情報処理装置はメインバッテリと電源供給部を備えているほか、さらにメインバッテリが電源を供給できないときに電源を供給するバックアップバッテリも備えており、且つスタンバイコマンドまたは復帰コマンドを接受する接受モジュール、スタンバイコマンドに基づいて情報処理装置をスタンバイモードにするスタンバイモジュール、電源が充分であるか否かを判断し、充分と判断したとき情報処理装置に使用モードを回復させる復帰モジュールがさらに設置されている。これにより、本発明の情報処理装は使用者がシャットダウンしていない状況下でメインバッテリを交換することを可能にし、現有技術の冗長なシャットダウンと起動時間を省くと同時に、メインバッテリの交換が完了したと誤って判断し、データ破損または損失を引き起こすリスクを回避できる。
【符号の説明】
【００３２】
１      情報処理装置
１１    電源供給部
１２    メインバッテリ
１３    バックアップバッテリ
１４    接受モジュール
１５    スタンバイモジュール
１６    復帰モジュール
Ｓ２１、Ｓ２２、Ｓ２２’、Ｓ２３、Ｓ２４、Ｓ２５    工程
【図１】
2013037667.tif 000003
【図２】
2013037667.tif 000004